(57)【要約】【課題】信頼できるチャネル品質補間を実施することが可能な方法を提供する。【解決手段】本発明は、無線通信システムにおいてチャネル品質を補間する方法であって、ユーザ機器によって報告された前期間のチャネル品質に基づいて現行期間のチャネル品質をノードＢによって推定する工程と、ユーザ機器によって報告された現行期間のチャネル品質を取得した後に、現行期間の推定チャネル品質と、報告された現行期間のチャネル品質との差をノードＢによって計算する工程と、差に応じた信頼パラメータをノードＢによって取得し、信頼パラメータに基づいて報告されたチャネル品質を補間する工程とを含む。ノードＢは、信頼できるダウンリンクチャネル品質情報をリアルタイムで取得し、セル内のユーザのスケジュール調整を合理的に行い、データ伝送形式を選択して、電力を正確に制御する。ユーザのサービスの質、およびシステム資源の利用効率が向上する。【選択図】      図１
2006087090.tif 000002
【特許請求の範囲】
【請求項１】
ノードＢと、チャネル品質を前記ノードＢに定期的に報告するユーザ機器とを備える無線通信システムにおいて、チャネル品質を補間する方法であって、
前記ユーザ機器によって報告された前期間のチャネル品質に基づいて現行期間のチャネル品質を前記ノードＢによって推定する工程と、
前記ユーザ機器によって報告された現行期間のチャネル品質を取得した後に、現行期間の推定チャネル品質と、前記ユーザ機器によって報告された現行期間のチャネル品質との差を前記ノードＢによって計算する工程と、
前記差に応じた信頼パラメータを前記ノードＢによって取得し、前記信頼パラメータに基づいて前記ユーザ機器によって報告されたチャネル品質を補間する工程とを含む方法。
【請求項２】
前記ノードＢは、現行期間のチャネル品質を推定し、アップリンク専用制御チャネル上にアップロードされた高速電力制御情報を使用して、前記ユーザ機器によって報告されたチャネル品質を補間する請求項１に記載の方法。
【請求項３】
前記差に対する加重処理を行う工程をさらに含む請求項１に記載の方法。
【請求項４】
前記無線通信システムはＲＮＣをさらに備え、前記ＲＮＣは、チャネル品質を報告するための期間を決定し、その期間を前記ノードＢおよび前記ユーザ機器に通知する請求項２に記載の方法。
【請求項５】
前記ＲＮＣは、電力制御ステップサイズを前記ノードＢにさらに通知する請求項４に記載の方法。
【請求項６】
前記ノードＢは、
ＣＱＩ’（ｎ）がｎ番目の期間の推定チャネル品質を表し、ＣＱＩ＿ｒｅｐｏｒｔ（ｎ−１）がユーザ機器によって報告された（ｎ−１）番目の期間のチャネル品質を表し、Ｐｏｗｅｒ＿Ｃｏｎｔｒｏｌ＿ｓｔｅｐｓｉｚｅが、前記ＲＮＣによって前記ノードＢに通知された電力制御ステップサイズを表し、ＴＰＣ＿Ｃｏｕｎｔ（ｎ−１）が、（ｎ−１）番目のチャネル品質報告期間中にユーザ機器によって報告されたすべての高速電力制御情報の累積を表す場合に、
以下の式
ＣＱＩ’（ｎ）＝ＣＱＩ＿ｒｅｐｏｒｔ（ｎ−１）＋Ｐｏｗｅｒ＿Ｃｏｎｔｒｏｌ＿ｓｔｅｐｓｉｚｅ×ＴＰＣ＿Ｃｏｕｎｔ（ｎ−１）
に従って、現行期間のチャネル品質を推定する請求項５に記載の方法。
【請求項７】
前記チャネル品質報告期間は、複数の伝送時間間隔を含む請求項５に記載の方法。
【請求項８】
前記ノードＢは、
ＣＱＩ＿ｉｎｔｅｒｐｏｌａｔｅｄ（ｎ、ｍ）が、ｎ番目の期間内にｍ番目の伝送時間間隔で補間した後に取得されるチャネル品質を表し、ＣＱＩ＿ｒｅｐｏｒｔ（ｎ）が、ユーザ機器によって報告されたｎ番目の期間のチャネル品質を表し、ａ（ｎ）が、ｎ番目の期間の信頼パラメータを表し、Ｐｏｗｅｒ＿Ｃｏｎｔｒｏｌ＿ｓｔｅｐｓｉｚｅが、前記ＲＮＣによって前記ノードＢに報告された電力制御ステップサイズを表し、ＴＰＣ＿Ｃｏｕｎｔ（ｎ、ｍ）が、ｎ番目のチャネル品質報告期間中の最初の伝送時間間隔から始まってｍ番目の伝送時間間隔までのすべての高速電力制御情報の累積を表す場合に、
以下の式
ＣＱＩ＿ｉｎｔｅｒｐｏｌａｔｅｄ（ｎ、ｍ）＝ＣＱＩ＿ｒｅｐｏｒｔ（ｎ）＋ａ（ｎ）×Ｐｏｗｅｒ＿Ｃｏｎｔｒｏｌ＿ｓｔｅｐｓｉｚｅ×ＴＰＣ＿Ｃｏｕｎｔ（ｎ，ｍ）
に従ってチャネル品質を補間する請求項７に記載の方法。
【発明の詳細な説明】
【技術分野】
【０００１】
本出願は、参照によりその開示内容がすべて本明細書に組み込まれ、ここにその優先権が主張されている、２００４年９月２日に出願された中国特許出願第２００４１００５４２３８．９号に基づくものである。
【０００２】
本発明は、無線通信システムに関し、より詳細には無線通信システムにおいてチャネル品質を補間する方法に関する。
【背景技術】
【０００３】
高速ダウンリンクパケットアクセス（ＨＳＤＰＡ）に関しては、ユーザ機器（ＵＥ）は、高速ダウンリンク共用チャネル（ＨＳ−ＰＤＳＣＨ）の実測チャネル品質をノードＢの媒体アクセス制御−高速（ＭＡＣ−ｈｓ）機能エンティティに報告する。報告されたチャネル品質に従って、ＭＡＣ−ｈｓ機能エンティティは、次のデータ伝送形式（例えば、データブロックのサイズ、変調形式、ＨＳ−ＰＤＳＣＨチャネルコードの数等）を選択し、ダウンリンクチャネル電力制御を行う。
【０００４】
ＵＥがチャネル品質を報告する期間は、ラジオネットワークコントローラ（ＲＮＣ）によって決定される。概して、その期間は、１から８０ＨＳＤＰＡ伝送時間間隔（ＴＴＩ）で、１つのＨＳＤＰＡ  ＴＴＩは２ｍｓである。しかし、ダウンリンクチャネルは、フェーディング、妨害および干渉等によって生じる変化をしばしば受けるため、伝送および処理遅れにより、ＭＡＣ−ｈｓが受信するチャネル品質は、現行のダウンリンクチャネル品質を実際に反映したものではない。特に、チャネル品質を報告するための期間が比較的長いときは、ＭＡＣ−ｈｓが、ＵＥによって報告されるチャネル品質を採用して、ユーザスケジューリング、データ伝送形式選択および電力制御を実行するのであれば、システムの資源を十分かつ効果的に利用することができない。
【０００５】
アップリンク専用制御チャネル（ＤＰＣＣＨ）は時間スロット毎のＴＰＣ情報をアップロードするため、ＭＡＣ−ｈｓがチャネル変化をリアルタイムで追跡して、より良好なリンク適応を実現することを可能にするためには、高速電力制御（ＴＰＣ）情報を用いてチャネル品質を補間することが考えられる。一般には、時間スロット間の間隔は２／３ｍｓで、ＴＰＣ情報は、ダウンリンクチャネルの隣り合う時間スロットの変化動向を通常反映する。
【０００６】
しかし、場合によっては（例えば、アップリンク専用制御チャネル品質が不良であるために、ＴＰＣ復号誤差が生じる；ＵＥが高速で移動するときに内部ループ電力制御が軌道を維持できないことによりＴＰＣの誤差を生じる；かつＵＥがソフトハンドオフ状態にある場合は）、ＴＰＣ情報は、ダウンリンクチャネルＨＳ−ＰＤＳＣＨの変化動向に関連づけられない。ＴＰＣ情報を用いた補間を採用して、チャネル品質を取得する場合は、利点どころではなく、負の効果がもたらされることになる。
【０００７】
「ＴＳＧ−ＲＡＮ作業部会１会議＃１７、ストックホルム（スウェーデン）、２０００年１１月２１〜２４日」の会議において開示された文献「ＴＳＧ  Ｒ１＃１７（００）１３７８」には、参照により本発明に組み込まれている、ＵＥによって報告される高速電力制御情報ＴＰＣおよびダウンリンクチャネル信号ノイズ比ＳＮＲを用いた補間によってリアルタイムチャネル品質を取得する方法が提案されている。
【０００８】
しかし、「ＴＳＧ−ＲＡＮ作業部会１会議＃１９、ネバダ州ラスベガス（米国）、２００１年２月２７日〜３月２日」の会議において開示された文献「ＴＳＧ  Ｒ１＃１９（０１）０２３１」には、ＵＥによって報告される高速電力制御情報ＴＰＣおよびダウンリンクチャネルＳＮＲを用いた補間によってリアルタイムチャネル品質を取得する前記方法は、ソフトハンドオフにおいて良好な結果を達成することができないということが指摘され、そのときに補間を停止することが示唆されている。ＲＮＣのみが、ＵＥがソフトハンドオフ状態であるかどうかを知っているため、チャネル品質を補間するか否かはＲＮＣの通知による。これは、ノードＢとＲＮＣの間のシグナリングオーバヘッドをもたらし、既存のプロトコルを修正する必要がある。上記文献は、参照により本発明に組み込まれている。
【特許文献１】中国特許出願第２００４１００５４２３８．９号明細書
【非特許文献１】「ＴＳＧ  Ｒ１＃１７（００）１３７８」
【非特許文献２】「ＴＳＧ  Ｒ１＃１９（０１）０２３１」
【発明の開示】
【発明が解決しようとする課題】
【０００９】
したがって、信頼できるチャネル品質補間を実施することが可能な方法が必要である。
【課題を解決するための手段】
【００１０】
上記問題に取り組むために、本発明は、ノードＢとチャネル品質を前記ノードＢに定期的に報告するユーザ機器とを備える無線通信システムにおいて、チャネル品質を補間する方法であって、
前記ユーザ機器によって報告された前期間のチャネル品質に基づいて現行期間のチャネル品質を前記ノードＢによって推定する工程と、
前記ユーザ機器によって報告された現行期間のチャネル品質を取得した後に、現行期間の推定チャネル品質と、前記ユーザ機器によって報告された現行期間のチャネル品質との差を前記ノードＢによって計算する工程と、
前記差に応じた信頼パラメータを前記ノードＢによって取得し、前記信頼パラメータに基づいて前記ユーザ機器によって報告されたチャネル品質を補間する工程とを含む方法を提案する。
【００１１】
好ましくは、前記ノードＢは、現行期間のチャネル品質を推定し、アップリンク専用制御チャネル上にアップロードされた高速電力制御情報を使用して、前記ユーザ機器によって報告されたチャネル品質を補間する。
【００１２】
好ましくは、前記方法は、前記差に対する加重処理を行う工程をさらに含む。
【００１３】
好ましくは、前記無線通信システムはＲＮＣをさらに備え、前記ＲＮＣは、チャネル品質を報告するための期間を決定し、その期間を前記ノードＢおよび前記ユーザ機器に通知する。
【００１４】
好ましくは、前記ＲＮＣは、電力制御ステップサイズを前記ノードＢにさらに通知する。
【００１５】
好ましくは、前記チャネル品質報告期間は、複数の伝送時間間隔を含む。
【００１６】
本発明によれば、ノードＢは、信頼できるダウンリンクチャネル品質情報をリアルタイムで取得し、セル内のユーザのスケジュール調整をより合理的に行い、データ伝送形式を選択して、電力をより正確に制御することが可能になる。したがって、ユーザのサービスの質、およびシステム資源の利用効率が向上する。
【発明を実施するための最良の形態】
【００１７】
以下、添付の図面を参照しながら本発明を詳細に説明する。
【００１８】
ここでは、便宜上、ＨＳＤＰＡを例にとって説明する。しかし、本発明は、ＨＳＤＰＡに限定されず、チャネル品質報告および高速電力制御を採用する同様のシステムも本発明を具現化することが可能である。
【００１９】
図１は、本発明による無線通信ネットワークの概略図である。それは、ユーザ機器１１１、１１２、．．．、１１Ｎと、ノードＢ１２と、ＲＮＣ１３とを備える。前記ユーザ機器１１１、１１２、．．．、１１Ｎは、エアインターフェース１４を介して前記ノードＢ１２と通信し、前記ノードＢ１２は、ライン１５を介して前記ＲＮＣ１３と通信する。
【００２０】
図２は、本発明によるノードＢの概略図である。図２に示すように、前記ノードＢは、
対応する情報を前記ユーザ機器１１１、１１２、．．．、１１Ｎから受信する受信手段２１と、
チャネル品質を補間する処理手段２２と、
チャネル品質を補間するのに用いられる対応する情報を記憶する記憶手段２３と、
累積カウンタ２４１、２４２、．．．２４Ｎであって、前記累積カウンタ２４１は第１のユーザ機器１１１に対応し、前記累積カウンタ２４２は第２のユーザ機器１１２に対応し、．．．、前記累積カウンタ２４ＮはＮ番目のユーザ機器１１Ｎに対応する累積カウンタとを備える。
【００２１】
上述したように、前記ＲＮＣ１３は、前記ユーザ機器１１１、１１２、．．．１１Ｎがチャネル品質を報告する期間を決定し、その期間を前記ユーザ機器１１１、１１２、．．．、１１Ｎおよび前記ノードＢに通知する。概して、その期間は１から８０ＨＳＤＰＡ  ＴＴＩで、１つのＨＳＤＰＡ  ＴＴＩは２ｍｓである。以下、便宜上、チャネル品質をＣＱＩで表す。各ＣＱＩの報告期間中に、前記ノードＢの前記受信手段２１は、便宜上ＣＱＩ＿ｒｅｐｏｒｔで表される新しいＣＱＩをそれぞれ前記ユーザ機器１１１、１１２、．．．、１１Ｎの各々から受信する。１つのＣＱＩ報告期間中に、ＣＱＩを１から４回報告することが可能である。前記ノードＢ１２の前記受信手段２１がＣＱＩを受信した後に、ＣＱＩは、前記処理手段２２を介して前記記憶手段２３に記憶される。
【００２２】
本発明の一実施形態によれば、対応するＣＱＩ期間中に、ユーザ機器が第１のＣＱＩを前記ノードＢに報告した後で、前記ノードＢの前記受信手段２１は、すべてのＴＰＣを記録するために、前記ユーザ機器に対応する累積カウンタに受信した対応するＴＰＣを送信する。便宜上、すべてのＴＰＣ情報をＴＰＣ＿Ｃｏｕｎｔで表す。次いで、前記処理手段２２は、前記記憶手段２３にＴＰＣ＿Ｃｏｕｎｔを記憶する。
【００２３】
本発明の一実施形態によれば、ＴＰＣは、時間スロット毎に一度記録される。新たなＣＱＩ期間が開始されると、前記処理手段２２は、累積カウンタをリセットする。各累積カウンタは増減可能であり、ＴＰＣ＝１のときは累積カウンタを１だけ増加させ、ＴＰＣ＝０のときは累積カウンタを１だけ減少させる。
【００２４】
図３は、本発明による実施形態のフローチャートを示す図である。
【００２５】
まず、工程３１において、前記処理手段２２は、前記記憶手段２３に記憶されたＣＱＩ＿ｒｅｐｏｒｔおよびＴＰＣ＿Ｃｏｕｎｔに基づいて、推定ＣＱＩまたはＣＱＩ’を計算する。
ＣＱＩ’（ｎ）＝ＣＱＩ＿ｒｅｐｏｒｔ（ｎ−１）＋Ｐｏｗｅｒ＿Ｃｏｎｔｒｏｌ＿ｓｔｅｐｓｉｚｅ×ＴＰＣ＿Ｃｏｕｎｔ（ｎ−１）
ただし、ｎはＣＱＩのｎ番目の期間を表し、ＣＱＩ＿ｒｅｐｏｒｔ（ｎ−１）は、ユーザ機器によって報告された（ｎ−１）番目の期間のＣＱＩを表し、Ｐｏｗｅｒ＿Ｃｏｎｔｒｏｌ＿ｓｔｅｐｗｉｚｅは、ＲＮＣによって決定され、前記ノードＢに通知される電力制御ステップサイズ、すなわち各電力調整の最大範囲を表し、ＴＰＣ＿Ｃｏｕｎｔ（ｎ−１）は、（ｎ−１）番目のＣＱＩ期間内のすべてのＴＰＣの累積を表す。
【００２６】
ユーザ機器によって報告された新たなＣＱＩを受信すると、工程３２に進む。
【００２７】
工程３２において、前記処理手段２２は、上式を用いた推定ＣＱＩと、報告されたＣＱＩとの差Δ（ｎ）を計算する。
Δ（ｎ）＝ＣＱＩ＿ｒｅｐｏｒｔ（ｎ）−ＣＱＩ’（ｎ）
ただし、
Δ（ｎ）は、報告されたＣＱＩと推定されたＣＱＩとの差を表し、ＣＱＩ＿ｒｅｐｏｒｔ（ｎ）は、ユーザ機器によって報告されたｎ番目の期間のＣＱＩを表す。
【００２８】
また、前記処理手段２２は、その差を前記記憶手段２３に記憶する。
【００２９】
次に、工程３３に進む。工程３３において、前記処理手段２２は、前記記憶手段２３に記憶された（ｎ−１）番目、（ｎ−２）番目、（ｎ−３）番目等の期間の報告されたＣＱＩと推定されたＣＱＩとの差Δ（ｎ−１）、Δ（ｎ−２）、Δ（ｎ−３）等を用いることによってΔ（ｎ）に対する加重処理を行って、加重Δ（ｎ）、すなわちΔ’（ｎ）を得る。ただし、Δ（ｎ−１）＝ＣＱＩ＿ｒｅｐｏｒｔ（ｎ−１）−ＣＱＩ’（ｎ−１）、
Δ（ｎ−２）＝ＣＱＩ＿ｒｅｐｏｒｔ（ｎ−２）−ＣＱＩ’（ｎ−２）、そして以下同様に推論される。
【００３０】
Δ（ｎ）に対する加重処理は、いくつかのＣＱＩ期間のＣＱＩ＿ｒｅｐｏｒｔと推定ＣＱＩとの差の処理を通じて、一定の期間の悪い結果の後続期間の補間の結果に対する影響を可能な限り小さくするという目的を果たす。
【００３１】
本発明の一実施形態によれば、以下の式が成り立つ。
Δ’（ｎ）＝ｓｑｒｔ｛（１−ｂ）［Δ２（ｎ）＋ｂ２Δ２（ｎ−１）＋ｂ３Δ２（ｎ−２）＋．．．］｝
ただし、ｓｑｒｔは、｛（１−ｂ）［Δ２（ｎ）＋ｂ２Δ２（ｎ−１）＋ｂ３Δ２（ｎ−２）＋．．．］｝の平方根の抽出を表し、ｂは０と１の間の任意の値である。
【００３２】
勿論、Δ（ｎ）に対する上記加重処理は例示にすぎず、Δ（ｎ）に対する加重処理を行うのに他の実施形態を使用できることを当業者であれば理解するはずである。
【００３３】
Δ（ｎ）に対する加重処理の後に、工程３４に進む。工程３４において、前記処理手段２２は、Δ’（ｎ）をマップして、信頼パラメータａ（ｎ）を得る。
【００３４】
理論的には、内部ループ電力制御が、フェード環境においてチャネル電力の変化を追跡することを可能にするために、１フレームの時間が１０ｍｓで、各フレームが、それぞれＴＰＣ情報を含み、一度電力制御を行うことが可能である１５の時間スロットを有すると仮定すると、１フレーム内のチャネル電力変化の最大範囲は以下の値を超えることはない。
Ｍａｘ＿Ｐｏｗｅｒ＿Ｃｈａｎｇｅ＝±Ｐｏｗｅｒ＿Ｃｏｎｔｒｏｌ＿ｓｔｅｐｓｉｚｅ×１５００×１０×１０−３
ただし、Ｐｏｗｅｒ＿Ｃｏｎｔｒｏｌ＿ｓｔｅｐｗｉｚｅは、ＲＮＣによって決定された電力制御ステップサイズを表す。Ｐｏｗｅｒ＿Ｃｏｎｔｒｏｌ＿ｓｔｅｐｓｉｚｅ＝０．５ｄＢであれば、上式により、内部ループ電力制御が追跡できる電力変化の最大範囲は７．５ｄＢである。
【００３５】
干渉、ユーザの高速移動、ソフトハンドオフおよび他の要因により、ＴＰＣ情報がチャネル変化に相関づけられなくなると、内部ループ電力制御プロセスは、チャネル電力の変化を正確に追跡できなくなり、それらの間の誤差は恐らく７．５ｄＢに到達しうる（電力制御に要求される調整方向がチャネルの実際の変化方向と全く反対であるときは、理論的には１５ｄＢに到達しうる）。
【００３６】
本発明の一実施形態によれば、ＣＱＩの期間は５ＨＳＤＰＡ  ＴＴＩ、すなわち１０ｍｓで、内部ループ電力制御の調整範囲Ｂは７．５ｄＢに等しく、Δ’（ｎ）に対するマッピングは以下のようになる。
｜Δ’（ｎ）｜＜７．５であるときは、λ（ｎ）＝｜Δ’（ｎ）｜／７．５；
｜Δ’（ｎ）｜≧７．５であるときは、λ（ｎ）＝１．０
λ（ｎ）と信頼パラメータａ（ｎ）の関係は、ａ（ｎ）＝１−λ（ｎ）である。
【００３７】
勿論、マッピングΔ’（ｎ）の上記実施形態は、例示にすぎないことを当業者なら理解するはずである。ＣＱＩの期間は、１０ｍｓより短くても長くてもよく、内部ループ電力制御の調整範囲Ｂは、リンク確立時にＲＮＣによって通知されるＣＱＩ期間および電力制御ステップサイズＰｏｗｅｒ＿Ｃｏｎｔｒｏｌ＿ｓｔｅｐｓｉｚｅによって決定される。Δ’（ｎ）とλ（ｎ）のマッピングを他の実施形態によって実現することが可能である。
【００３８】
マッピングの後に、工程３５に進み、ＣＱＩを補間する。
【００３９】
本発明の一実施形態によれば、ＣＱＩは、以下の式に従って補間される。
ＣＱＩ＿ｉｎｔｅｒｐｏｌａｔｅｄ（ｎ、ｍ）＝ＣＱＩ＿ｒｅｐｏｒｔ（ｎ）＋ａ（ｎ）×Ｐｏｗｅｒ＿Ｃｏｎｔｒｏｌ＿ｓｔｅｐｓｉｚｅ×ＴＰＣ＿Ｃｏｕｎｔ（ｎ、ｍ）
ただし、ＣＱＩ＿ｉｎｔｅｒｐｏｌａｔｅｄ（ｎ、ｍ）は、ｎ番目の期間内におけるｍ番目のＴＴＩでの補間後に取得されるチャネル品質を表し、ＣＱＩ＿ｒｅｐｏｒｔ（ｎ）は、ユーザ機器によって報告されるｎ番目の期間のチャネル品質を表し、ａ（ｎ）は、ｎ番目の期間の信頼パラメータを表し、Ｐｏｗｅｒ＿Ｃｏｎｔｒｏｌ＿ｓｔｅｐｓｉｚｅは、ＲＮＣによってノードＢに報告された電力制御ステップサイズを表し、ＴＰＣ＿Ｃｏｕｎｔ（ｎ、ｍ）は、ｎ番目のチャネル品質報告期間中の第１のＴＴＩからｍ番目のＴＴＩまでのすべてのＴＰＣ情報の累積を表す。
【００４０】
ａ（ｎ）＝１は、ＴＰＣ情報がＣＱＩの変化を確実に追跡することができ、次いでダウンリンク専用チャネルの電力変化値を用いてＣＱＩを直接修正できることを表し、ａ（ｎ）＝０は、ＴＰＣはＣＱＩの変化と全く関係なく、次いで補間を停止すべきであり、報告されたＣＱＩをそのまま用いるべきであることを表し、ａ（ｎ）が０と１の間にあるときは、ＴＰＣがある意味でＣＱＩの変化に相関づけられることを表す。
【００４１】
本実施形態によれば、Δ（ｎ）の計算は、ＣＱＩ期間毎に一度実行され、ｎは、ＣＱＩのｎ番目の期間を表し、補間は、ＴＴＩ毎に一度実行され、ｍは、１つのＣＱＩ期間におけるＴＴＩの数を表し、ＴＰＣの累積は時間スロットあたり一度実行される。
【００４２】
勿論、補間の上記実施形態は、例示にすぎず、ＣＱＩ補間を実行するのに他の実施形態を採用できることを当業者なら理解するはずである。
【００４３】
本発明のコンセプトおよび範囲から逸脱することなく、様々な変更および代替が可能である。本発明は、特定の実施形態に限定されず、その範囲は、添付の請求項によって定められることを理解されたい。
【図面の簡単な説明】
【００４４】
【図１】本発明による無線通信ネットワークの概略図である。
【図２】本発明によるノードＢの概略図である。
【図３】本発明による一実施形態のフローチャートである。
【符号の説明】
【００４５】
１１１  １１２、．．．、１１Ｎ  ユーザ機器
１２  ノードＢ
１４  エアインターフェース
２１  受信手段
２２  処理手段
２３  記憶手段
２４１、２４２、．．．、２４Ｎ  累積カウンタ
【図１】
2006087090.tif 000003
【図２】
2006087090.tif 000004
【図３】
2006087090.tif 000005
【外国語明細書】
2006087090.tif 000006
2006087090.tif 000007
2006087090.tif 000008
2006087090.tif 000009
2006087090.tif 000010
2006087090.tif 000011
2006087090.tif 000012
2006087090.tif 000013
2006087090.tif 000014
2006087090.tif 000015
2006087090.tif 000016
2006087090.tif 000017
2006087090.tif 000018
2006087090.tif 000019
2006087090.tif 000020
2006087090.tif 000021
2006087090.tif 000022
2006087090.tif 000023
2006087090.tif 000024